(57)【要約】【課題】同一ディスクが装填され続ける状況下での光ディスク装置の再起動時の起動時間の短縮化を図る。【解決手段】光ディスクに対して信号の記録又は再生の処理を行う信号処理装置において、前記光ディスク装置に装填された前記光ディスクの種別に応じた記録又は再生条件を構成するパラメータ値を生成する条件設定回路と、前記パラメータ値を格納する揮発性メモリと、前記パラメータ値を格納する不揮発性メモリと、前記不揮発性メモリに前記パラメータ値が格納された後に、前記揮発性メモリに格納された前記パラメータ値に基づいて前記光ディスクの記録又は再生の処理を行う信号処理回路と、を備え、前記条件設定回路は、前記光ディスク装置に装填されている前記光ディスクの状態を示すステータス信号に基づいて、前記パラメータ値を生成して前記信号処理回路に前記パラメータ値を設定するか、又は、前記不揮発性メモリに格納された前記パラメータ値を読み出して前記信号処理回路に前記パラメータ値を設定するか、のいずれかの処理を行う。【選択図】図２
2008176833.tif 000002
【特許請求の範囲】
【請求項１】
光ディスクに対して信号の記録又は再生の処理を行う信号処理装置において、
前記光ディスク装置に装填された前記光ディスクの種別に応じた記録又は再生条件を構成するパラメータ値を生成する条件設定回路と、
前記パラメータ値を格納する揮発性メモリと、
前記パラメータ値を格納する不揮発性メモリと、
前記不揮発性メモリに前記パラメータ値が格納された後に、前記揮発性メモリに格納された前記パラメータ値に基づいて前記光ディスクの記録又は再生の処理を行う信号処理回路と、
を備え、前記条件設定回路は、前記光ディスク装置に装填されている前記光ディスクの状態を示すステータス信号に基づいて、前記パラメータ値を生成して前記信号処理回路に前記パラメータ値を設定するか、又は、前記不揮発性メモリに格納された前記パラメータ値を読み出して前記信号処理回路に前記パラメータ値を設定するか、のいずれかの処理を行うこと、を特徴とする信号処理装置。
【請求項２】
請求項１に記載の信号処理装置において、
前記ステータス信号は、前記光ディスク装置に対して前記光ディスクの出し入れが行われたか否かを示す第１のステータス信号と、前記光ディスク装置に前記光ディスクがあるか否かを示す第２のステータス信号と、を含み、
前記条件設定回路は、前記第１のステータス信号又は前記第２のステータス信号に基づいて、前記パラメータ値を生成して前記信号処理回路に前記パラメータ値を設定するか、又は、前記不揮発性メモリに格納された前記パラメータ値を読み出して前記信号処理回路に前記パラメータ値を設定するか、のいずれかの処理を行うこと、を特徴とする信号処理装置。
【請求項３】
請求項２に記載の信号処理装置において、
前記条件設定回路は、前記第１のステータス信号が前記光ディスクの出し入れが行われていないことを示す場合に、前記不揮発性メモリに格納された前記パラメータ値を読み出して前記信号処理回路に前記パラメータ値を設定すること、を特徴とする信号処理装置。
【請求項４】
請求項１に記載の信号処理装置において、
前記条件設定回路は、前記揮発性メモリを用いて前記パラメータ値を生成し、前記パラメータ値の生成が完了したときに前記揮発性メモリに格納された前記パラメータ値を前記不揮発性メモリに転送し、
前記信号処理回路は、前記パラメータ値を前記不揮発性メモリに転送した後に、前記光ディスクの記録又は再生の処理を行うこと、を特徴とする信号処理装置。
【請求項５】
請求項１に記載の信号処理装置において、
前記不揮発性メモリは前記パラメータ値を格納するとともに前記光ディスク装置を制御するファームウェアを格納すること、を特徴とする信号処理装置。
【請求項６】
光ディスクに対して信号の記録又は再生の処理を行う信号処理装置の制御方法において、
前記光ディスク装置に装填された前記光ディスクの種別に応じた記録又は再生条件を構成するパラメータ値を設定するパラメータ値設定ステップと、
前記パラメータ値を揮発性メモリに格納する揮発性メモリ格納ステップと、
前記パラメータ値を不揮発性メモリに格納する不揮発性メモリ格納ステップと、
前記不揮発性メモリ格納ステップの後に、前記パラメータ値に基づいて前記光ディスクの記録又は再生の処理を行う信号処理ステップと、
を備え、前記パラメータ値設定ステップは、前記パラメータ値の生成処理を行うパラメータ値生成ステップと、前記不揮発性メモリに格納された前記パラメータ値を読み出すパラメータ値転送ステップと、を含み、前記光ディスク装置に装填されている前記光ディスクの状態を示すステータス信号に基づいて前記パラメータ値生成ステップ又は前記パラメータ値転送ステップのいずれかを行うこと、を特徴とする信号処理装置の制御方法。
【請求項７】
請求項６に記載の信号処理装置の制御方法において、
前記ステータス信号は、前記光ディスク装置に対して前記光ディスクの出し入れが行われたか否かを示す第１のステータス信号と、前記光ディスク装置に前記光ディスクがあるか否かを示す第２のステータス信号と、を含み、
前記パラメータ値設定ステップは、前記第１のステータス信号又は前記第２のステータス信号に基づいて、前記パラメータ値生成ステップ又は前記パラメータ値転送ステップのいずれかを行うこと、を特徴とする信号処理装置の制御方法。
【請求項８】
請求項７に記載の信号処理装置の制御方法において、
前記パラメータ値転送ステップは、前記第１のステータス信号が前記光ディスクの出し入れが行われていないことを示す場合に行われること、を特徴とする信号処理装置の制御方法。
【請求項９】
請求項８に記載に信号処理装置の制御方法において、
前記パラメータ値設定ステップにおいて前記パラメータ値生成ステップが行われる場合、前記不揮発性メモリ格納ステップは、前記揮発性メモリ格納ステップの後に行われ、前記揮発性メモリに格納された前記パラメータ値を前記不揮発性メモリに転送すること、を特徴とする信号処理装置の制御方法。
【発明の詳細な説明】
【技術分野】
【０００１】
本発明は、信号処理装置、信号処理装置の制御方法に関する。
【背景技術】
【０００２】
近年、ＣＤ系（ＣＤ−ＲＯＭ、ＣＤ−Ｒ／ＲＷ）やＤＶＤ系（ＤＶＤ−ＲＯＭ、ＤＶＤ−ＲＡＭ、ＤＶＤ±Ｒ／ＲＷ）のみならず、ＨＤＤＶＤ系（ＨＤＤＶＤ−ＲＯＭ、ＨＤＤＶＤ−ＲＡＭ、ＨＤＤＶＤ−Ｒ／ＲＷ）、ＢＤ系（ＢＤ−ＲＯＭ、ＢＤ−ＲＥ）、複合系（ＤＶＤ−ＨＤＤＶＤ、ＤＶＤ−ＢＤ）等といった多様な種別の光ディスクが提案されている。尚、これらの光ディスクは、種別毎にそれぞれ記録／再生条件が異なる。このため、光ディスクの記録／再生を行う光ディスク装置の起動時において、装填された光ディスクの種別を正確に判別して、その判別した種別に応じた記録／再生条件を適切に設定する必要がある。
【０００３】
そこで、従来の光ディスク装置は、図４に示すフローチャートに従って起動する。まず、光ディスク装置のシステム電源をオンし（５０１）、装填された光ディスクの種別毎の相違に基づいて、ディスク判別処理を行う（Ｓ５０２）。具体的には、光ディスクからの反射光量や光ディスクからの反射光を受光するまでの時間に基づいて、ディスク判別処理が行われる（例えば、以下に示す特許文献１、２を参照）。
【０００４】
ディスク判別処理（Ｓ５０２）の後、判別された光ディスクの種別毎に応じた記録／再生条件を構成する各種パラメータ値を初期調整するディスク毎調整処理を行う（Ｓ５０３）。具体的には、ディスク毎調整処理として、フォーカスサーボ系やトラッキングサーボ系といった各種サーボ系のゲイン調整やオフセット調整が行われる。尚、ディスク毎調整処理において初期調整される各種パラメータ値や、光ディスクから読み出したディスク情報等は、揮発性メモリに記憶される。そして、従来の光ディスク装置は、この揮発性メモリに記憶された各種パラメータ値を用いて、光ディスクの記録／再生処理を開始する（Ｓ５０４）。
【特許文献１】特開２００４−２３４７７２号公報
【特許文献２】特開２００６−２７７８４６号公報
【発明の開示】
【発明が解決しようとする課題】
【０００５】
ところで、光ディスク装置に供給されるシステム電源がオフすると、揮発性メモリに記憶されたディスク情報等は消去される。システム電源がオフする原因としては、光ディスク装置のパワーオフモードが挙げられる。例えば、パソコンのような複数の機能要素を有する情報処理装置に光ディスク装置が含まれるような場合、情報処理装置は駆動し続けているが、光ディスク装置はその不使用状態が継続するため、光ディスク装置へのシステム電源の供給を停止する。このとき、揮発性メモリに記憶されていた各種パラメータ値は消去される。
【０００６】
パワーオフモードの終了によって、システム電源が再投入（オン）されて光ディスク装置を再起動させる場合、システム電源をオフする前と同一の光ディスクが装填されているにも関わらず、従来の光ディスク装置は上記ディスク判別処理並びに上記ディスク毎調整処理を再度行う必要があった。これにより、光ディスク装置の起動時間が長引くので、ユーザビリティ悪化の一つの要因となっていた。
【課題を解決するための手段】
【０００７】
前述した課題を解決するための主たる本発明は、光ディスクに対して信号の記録又は再生の処理を行う信号処理装置において、前記光ディスク装置に装填された前記光ディスクの種別に応じた記録又は再生条件を構成するパラメータ値を生成する条件設定回路と、前記パラメータ値を格納する揮発性メモリと、前記パラメータ値を格納する不揮発性メモリと、前記不揮発性メモリに前記パラメータ値が格納された後に、前記揮発性メモリに格納された前記パラメータ値に基づいて前記光ディスクの記録又は再生の処理を行う信号処理回路と、を備え、前記条件設定回路は、前記光ディスク装置に装填されている前記光ディスクの状態を示すステータス信号に基づいて、前記パラメータ値を生成して前記信号処理回路に前記パラメータ値を設定するか、又は、前記不揮発性メモリに格納された前記パラメータ値を読み出して前記信号処理回路に前記パラメータ値を設定するか、のいずれかの処理を行うこと、とする。
【発明の効果】
【０００８】
本発明によれば、同一ディスクが装填され続ける状況下での光ディスク装置の再起動時間の短縮化を図ることができる。
【発明を実施するための最良の形態】
【０００９】
＜＜情報処理装置の構成＞＞
図１は、本発明に係る情報処理装置１００の筐体内部の構成を示した図である。  
情報処理装置１００は、光ディスク１０に対して光学的に情報を記録／再生する光ディスク装置３００を含め複数の機能機構を有して構成される。光ディスク装置３００は、ＣＤ系、ＤＶＤ系、ＨＤＤＶＤ系、ＢＤ系若しくは複合系の光ディスク１０のうち、少なくともいずれか２種類に対応したプレイヤー／レコーダである。例えば、情報処理装置１００としては、光ディスク装置３００を含んだパソコン、カーオーディオ機器、カーナビ装置等が該当する。
【００１０】
尚、本実施形態において、情報処理装置１００は、光ディスク装置３００の他、メインボード１０５上に、情報処理装置１００全体を制御するＣＰＵ１１５を搭載したチップセット１１０、電源回路基板２００、オーディオ信号処理回路基板４００、ビデオ信号処理回路基板５００等が実装されて構成される。
【００１１】
また、情報処理装置１００は、電源回路基板２００と接続される電源スイッチ２１０並びに電源端子２２０、オーディオ信号処理回路基板４００とスピーカー４１０との間のインタフェースである音声出力端子４０５、ビデオ信号処理回路５００と表示装置５１０との間のインタフェースであるビデオ出力端子５０５を具備する。
【００１２】
尚、電源回路基板２００は、情報処理装置１００全体にシステム電源を提供する。詳述すると、電源回路基板２００は、電源スイッチ２１０をオンすることにより、電源端子２２０から供給される商用電源（ＡＣ電源）を、スイッチングレギュレータによって所定のＤＣレベルのシステム電源（ＤＣ電源）へと変換する。このシステム電源は、光ディスク装置３００の他に、オーディオ信号処理回路４００やビデオ信号処理回路５００等の情報処理装置１００に搭載される全機能機構に対して、電源ケーブル２３０、２３１、２３２等を介して分配供給される。
【００１３】
また、電源回路基板２００は、チップセット１１０の制御により、光ディスク装置３００、オーディオ信号処理回路４００、ビデオ信号処理回路５００に対してシステム電源を供給するか否かを制御できる。具体的には、情報処理装置１００本体の操作又は光ディスク装置３００本体の操作が所定期間行われない場合、システム電源を自動的にオフしてパワーオフモードに切り替える機能を具備する。この機能は、例えば、光ディスク装置３００のみシステム電源をオフさせる制御とすることができる。
【００１４】
尚、本実施形態とは異なるが、光ディスク装置３００専用の電源ユニットを設けてもよい。例えば、ＣＤプレイヤー（光ディスク装置３００）を搭載したパソコン（情報処理装置１００）の場合、パソコン本体の電源ユニットとは別に、ＣＤプレイヤー専用の電源ユニットを設けることができる。これにより、パソコン本体のシステム電源をオンにしなくても、ＣＤプレイヤーのみ起動させることができる。
【００１５】
＜＜光ディスク駆動装置の構成＞＞
＝＝＝トレーローディング方式＝＝＝
本実施形態において、光ディスク装置３００は、光ディスク１０の装填方式として、トレーローディング方式を採用しており、トレー３１０を具備する。トレー３１０は、光ディスク１０を光ディスク装置３００内部に収納するための容器であり、排出ボタン３３０、ローディング用モータ３１２等を具備する。
【００１６】
トレー３１０が、図１中のＸ方向に排出されて、トレー３１０の載置台３１１に光ディスク１０が載置された状態とする。  
この状態で、排出ボタン３３０が押下されるか、又はトレー３１０が一定距離押し込まれた時点で、ローディング用モータ３１２が、所定方向に回転を開始する。これにより、トレー３１０は、光ディスク装置３００内部の方向（図１中のＸ’方向）に引き込まれた状態となる。
【００１７】
そして、光ディスク１０の中心孔にスピンドルモータ３２３のスピンドルが磁気回路（不図示）によって挿入され、光ディスク１０の回転駆動や光ディスク１０に対する光ピックアップ３２４からレーザ光の出射等が可能な状態となる。  
その後、排出ボタン３３０を再度押下すると、ローディング用モータ３１２はローディング時とは逆方向に回転し、トレー３１０は、再び、図１中に示すＸ方向に排出される。
【００１８】
＝＝＝ブロック構成＝＝＝
図２は、本発明に係る光ディスク装置３００のブロック構成を示した図である。  
光ディスク装置３００は、トレー３１０の他に、スピンドルモータ３２３、光ピックアップ３２４、信号処理回路３２５、ドライバ３２６、揮発性メモリ３２７、不揮発性メモリ３２８、ＣＰＵ３２９等を収納する。
【００１９】
開閉センサ３１２１は、光ディスク装置３００のトレー３１０収納奥に設けられ、トレー３１０の開閉状況を検出するセンサである。例えば、位置センサ又はリミットスイッチによって実施される。尚、開閉センサ３２２１は、ＣＰＵ３２９と接続されており、開閉センサ３２２１によって検出されたトレー３１０の開閉状況を示す第１のステータス信号が、ＣＰＵ３２９へと供給される。
【００２０】
スピンドルモータ３２３は、ドライバ３２６を介して光ディスク１０を回転駆動するモータである。
【００２１】
回転数センサ３２３１は、スピンドルモータ３２３と接続され、光ディスク１０を回転駆動した際の発生トルクや回転速度等といった回転情報を検出するセンサである。尚、回転数センサ３２３１は、ＣＰＵ３２９とハードワイヤード接続されており、回転数センサ３２３１によって検出された回転情報を示す第２のステータス信号が、ＣＰＵ３２９へと供給される。
【００２２】
光ピックアップ３２４は、装填後の光ディスク１０に対してレーザ光を出射することによって情報を記録／再生する。光ピックアップ３２４は、半導体レーザから出射するレーザ光を光ディスク１０上に集光させるための対物レンズ、光ディスク１０からの反射光を受光する光検出器、フォーカスサーボ制御やトラッキングサーボ制御を行うためのアクチュエータ（いずれも不図示）等を有する。
【００２３】
信号処理回路３２５は、エンコーダ／デコーダ３２５１、エラー信号生成部３２５２、エラーアンプ３２５３、サーボ制御部３２５４を有する。
【００２４】
エンコーダ／デコーダ３２５１は、ＣＰＵ３２９によるディスク判別結果に従って、判別された光ディスク１０の種別に応じたエンコード／デコード処理を行う。例えば、光ディスク１０の種別毎のデコード処理としては、つぎのような処理となる。
【００２５】
光ディスク１０がＣＤ系と判別された場合、エンコーダ／デコーダ３２５１は、ＥＦＭ（Eight to Fourteen Modulation）変調／復調処理や、ＣＩＲＣ（Cross Interleaved Reed Solomon Code）方式の誤り訂正、ＥＣＣ（Error Correcting Code）方式の誤り訂正を行う。
【００２６】
また、光ディスク１０がＤＶＤ系と判別された場合、エンコーダ／デコーダ３２５１は、ＥＦＭ＋（Eight to Fourteen Modulation Plus）変調／復調処理やＥＣＣ(Error Correcting Code)方式の誤り訂正処理等を行う。
【００２７】
さらに、光ディスク１０がＨＤＤＶＤ系と判別された場合には、８−１２変調／復調処理や、ＰＲＭＬ（Partial Response Maximum Likelihood）方式に従って、パーシャルレスポンス等化処理（ＰＲ）やビタビ復号処理（ＭＬ）を行った後、ＥＣＣ方式の誤り訂正処理等を行う。
【００２８】
尚、エンコーダ／デコーダ３２５１は、揮発性メモリ３２７とアクセス可能に接続されており、揮発性メモリ３２７を、エンコード／デコード処理の際の中間データを格納するバッファメモリとして用いる。
【００２９】
エラー信号生成部３２５２は、光ピックアップ３２４によって光ディスク１０から再生された再生信号に基づいて、光ピックアップ３２４のアクチュエータ向けのサーボエラー信号を生成する。尚、サーボエラー信号は、例えば、フォーカスエラー信号やトラッキングエラー信号である。
【００３０】
エラーアンプ３２５３は、エラー信号生成部３２５２において生成されたサーボエラー信号を増幅するアンプである。また、エラーアンプ３２５３は、オフセット調整機能及びゲイン調整機能を具備したＡＧＣ（Automatic Gain Control）付きＶＧＡ（Variable Gain Amplifier）とする。
【００３１】
サーボ制御部３２５４は、エラーアンプ３２５３より出力されるサーボエラー信号に基づき、光ピックアップ３２４のアクチュエータを、ドライバ３２６を介して駆動する。
【００３２】
揮発性メモリ３２７は、例えば、ＳＲＡＭやＳＤＲＡＭ等が該当し、電源がオフすると記憶内容が失われるが、アクセス速度が高速であることに特徴がある。尚、本発明に係る揮発性メモリ３２７は、つぎの二つの記憶領域３２７１、３２７２を提供する。
【００３３】
記憶領域３２７１は、エンコーダ／デコーダ３２５１がエンコード／デコード処理を実施する際の中間データを格納する領域である。例えば、中間データは、ＣＤ系の場合のＣＩＲＣ方式のリードソロモン符号や、ＤＶＤ系やＨＤＤＶＤ系の場合のＥＣＣ方式のＥＣＣブロックが該当する。
【００３４】
記憶領域３２７２は、光ディスク１０から読み出したディスク情報や、起動時に初期調整がなされる記録／再生条件を構成する各種パラメータ値を格納する領域である。尚、ディスク情報とは、例えば、光ディスク１０のリードインエリアに記録されたＴＯＣ（Table Of Contents）情報である。また、パラメータ値とは、例えば、エラーアンプ３２５３やＲＦアンプのオフセット調整値／ゲイン調整値、光ピックアップ３２４のチルト調整値、半導体レーザ素子の発光レベル調整値、信号処理回路３２５の制御レジスタや状態レジスタに格納する初期値等である。
【００３５】
不揮発性メモリ３２８は、例えば、ページ単位アクセスが可能なフラッシュメモリや、バイト単位アクセスが可能なＥＥＰＲＯＭ等が該当し、電源を切っても記憶内容が失われないことに特徴がある。尚、本発明に係る不揮発性メモリ３２８は、つぎの二つの記憶領域３２８１、３２８２を提供する。
【００３６】
記憶領域３２８１は、ＣＰＵ３２９が実行するファームウェアを格納する領域である。即ち、ＣＰＵ３２９は、不揮発性メモリ３２８の記憶領域３２８１から読み出したファームウェアを実行することで、光ディスク装置３００全体の制御を行う。
【００３７】
記憶領域３２８２は、揮発性メモリ３２７の記憶領域３２７２に記憶されたディスク情報及びパラメータ値のバックアップ先となる領域である。
【００３８】
尚、本実施形態の不揮発性メモリ３２８は、ＣＰＵ３２９より直接的にアクセス可能であり、ＣＰＵ３２９が実行するファームウェアを格納するプログラムメモリを流用する。これにより、光ディスク装置３００の装置規模の増加を抑えつつ、ＣＰＵ３２９は、不揮発性メモリ３２８からディスク情報及びパラメータ値を高速に読み出すことが可能となる。尚、不揮発性メモリ３２８以外に新たに用意した不揮発性メモリを別途備え、これを記憶領域３２８２とすることもできる。
【００３９】
ＣＰＵ３２９は、光ピックアップ３２４、信号処理回路３２５、ドライバ３２６、揮発性メモリ３２７、不揮発性メモリ３２８等、光ディスク装置３００全体の制御を司るシステムコントローラである。
【００４０】
尚、本発明の「信号処理装置」は、少なくとも、信号処理回路３２５、揮発性メモリ３２７、不揮発性メモリ３２８、ＣＰＵ３２９により構成されるシステムに係るものとする。
【００４１】
また、本発明の「条件設定部」は、エラーアンプ３２５３のゲイン調整部／オフセット調整部や、ＣＰＵ３２９並びに信号処理回路３２５の制御レジスタ／状態レジスタに係るものとする。
【００４２】
＜＜光ディスク装置の動作＞＞
＝＝＝光ディスクを新たに装填する場合の動作＝＝
図３に示すフローチャートを参照しつつ、新たに光ディスク１０を装填する場合の光ディスク装置３００の起動時の動作について説明する。
【００４３】
まず、情報処理装置１００本体の主電源が投入された場合とする。この場合、電源回路基板２００は、システム電源を生成して光ディスク装置３００等に供給する。即ち、光ディスク装置３００は、システム電源が投入され（Ｓ４００）、光ディスク１０の装填が可能な状態となる。
【００４４】
つぎに、トレー３１０の排出ボタン３３０の押下によりトレー３１０が排出された後、トレー３１０の載置台３１１に光ディスク１０が載置され、排出ボタン３３０が再度押下されるか、トレー３１０が一定距離押し込まれる。これにより、光ディスク１０が光ディスク装置３００内に装填される。
【００４５】
つぎに、ＣＰＵ３２９は、トレー３１０の開閉状況（トレー３１０が排出されたか否か）と、トレー３１０に光ディスク１０が収納されているか否か（光ディスク１０の有無）を検出する（Ｓ４０１）。
【００４６】
具体的には、ＣＰＵ３２９は、開閉センサ３１２１によって検出された第１のステータス信号に基づき、トレー３１０の開閉状況を判定する。具体的には、第１のステータス信号は、トレー３１０が開いていればＬレベル、トレー３１０が閉じていればＨレベルとなる。ＣＰＵ３２９は、第１のステータス信号のレベルに基づいて、トレー３１０の開閉状況を判定できる。
【００４７】
また、ＣＰＵ３２９は、回転センサ３２３１から得られる回転情報、もしくは光ピックアップ３２４からレーザ光を出射した際にディスク面から反射する戻り光の有無を示す第２のステータス信号に基づき、トレー３１０における光ディスク１０の有無を判定する。具体的には、トレー３１０に光ディスク１０が有る場合、回転トルクは大きくなり、回転数は減少し、ディスク面から反射する戻り光が有ることになる。トレー３１０に光ディスク１０が無い場合には、上記とは逆の現象が起こる。そこで、ＣＰＵ３２９は、第２のステータス信号に基づき、トレー３１０に光ディスク１０が有るか否かを判別できる。
【００４８】
この場合、ＣＰＵ３２９は、トレー３１０の開閉が有り、且つ、トレー３１０に光ディスク１０が有る旨を検出する（Ｓ４０１：ＮＯ）。従って、ＣＰＵ３２９は、装填された光ディスク１０の記録／再生処理の開始（Ｓ４０９）が可能な状態とするために、以下のように、Ｓ４０２〜Ｓ４０８までの処理を順次実行する。
【００４９】
まず、ＣＰＵ３２９は、光ディスク１０の種別毎の相違に基づいて、装填された光ディスク１０の種別を判別するディスク判別処理を行う（Ｓ４０２）。具体的には、ＣＰＵ３２９は、光ディスク１０にレーザ光を出射し、光ディスク１０からの戻り光の量やその戻り光が得られるまでの時間に基づいて、装填された光ディスク１０の大枠となる種別を所定の順番で判別していく。例えば、ＣＤ系であるか否かをまずは判別し、ＣＤ系でない場合に今度はＤＶＤ系であるか否かを判別する。
【００５０】
つぎに、ＣＰＵ３２９は、ディスク判別処理（Ｓ４０２）によりディスク種別が判別された後（Ｓ４０３）、その判別された種別毎に応じた記録／再生条件を構成するパラメータ値を初期調整するディスク毎調整処理を行う（Ｓ４０５）。
【００５１】
尚、ディスク毎調整処理（Ｓ４０５）の実行過程において、信号処理回路３２５は、揮発性メモリ３２７の記憶領域３２７２（又は内蔵キャッシュメモリ）にパラメータ値を格納する。ディスク毎調整処理（Ｓ４０５）の終了後では、揮発性メモリ３２７の記憶領域３２７２に格納されたパラメータ値が確定する（Ｓ４０６）。
【００５２】
つぎに、ＣＰＵ３２９は、判別された光ディスク１０の所定領域からディスク情報を読み出すディスク情報取得処理を行う（Ｓ４０７）。尚、ディスク情報取得処理（Ｓ４０７）の実行過程において、信号処理回路３２５は、揮発性メモリ３２７の記憶領域３２７２にディスク情報を格納する。ＣＰＵ３２９は、光ディスク１０から読み出されたディスク情報を信号処理回路３２５を介して取得し、この取得したディスク情報に基づいて装填された光ディスク１０の詳細な種別を判別する。例えば、ＣＤ系と判別された場合、ＣＰＵ３２９は、リードインエリアから読み出されたＴＯＣ情報に基づいて、ＣＤ−ＲＯＭ、ＣＤ−Ｒ、ＣＤ−ＲＷのいずれであるかを判別する。
【００５３】
つぎに、ＣＰＵ３２９は、ディスク情報取得処理（Ｓ４０７）により取得したディスク情報と、ディスク毎調整処理の際に揮発性メモリ３２７の記憶領域３２７２に記憶しておいたパラメータ値と、を不揮発性メモリ３２８の記憶領域３２８２にも記憶（バックアップ）する（Ｓ４０８）。
【００５４】
その後、ＣＰＵ３２９は、揮発性メモリ３２７に記憶しておいたディスク情報並びにパラメータ値に基づき、光ディスク１０の記録／再生を開始する指令を信号処理回路３２５に出す。これにより、信号処理回路３２５は、光ディスク１０の記録／再生処理を開始する（Ｓ４０９）。
【００５５】
尚、トレー３１０が排出された後、トレー３１０の載置台３１１に光ディスク１０を載置されなかった場合、ＣＰＵ３２９は、トレー３１０の開閉は有ったが、トレー３１０に光ディスク１０が無い旨を検出する（Ｓ４０１：ＮＯ）。この場合、ディスク判別処理（Ｓ４０２）において“ディスク無し”と判別される（Ｓ４０４）。
【００５６】
＝＝＝パワーオフモード移行時の動作＝＝＝
図３を参照して、パワーオフモード移行時の動作について説明する。  
まず、上記のＳ４００〜Ｓ４０９までの処理が完了して、光ディスク１０の記録／再生処理が開始（Ｓ４０９）された場合とする。この場合、トレー３１０は装置内部に収納され続ける状態であり、トレー３１０には光ディスク１０が有り続ける状態である。即ち、トレー３１０の開閉（光ディスク１０の出し入れ）が無く、且つ、トレー３１０に同一の光ディスク１０が有る場合である。また、この場合、揮発性メモリ３２７と不揮発性メモリ３２８の双方に、光ディスク１０の種別に応じたディスク情報及びパラメータ値が記憶された状態である。
【００５７】
その後、システム電源がオンの状態で、光ディスク１０の記録／再生処理が所定期間停止した場合（Ｓ４１０：ＹＥＳ）、光ディスク装置３００のみシステム電源がオフするパワーオフモードへと移行する（Ｓ４１１）。情報処理装置１００全体の待機電力を抑えるべく、光ディスク装置３００の待機電力を最小にするためである。例えば、ＤＶＤドライブ（光ディスク装置３００）を搭載したＤＶＤレコーダ（情報処理装置１００）は起動しているが、ＤＶＤドライブ（光ディスク装置３００）は停止する場合が該当する。
【００５８】
尚、パワーオフモードがこのまま解除されない限り（Ｓ４１２：ＮＯ）、光ディスク装置３００のシステム電源がオフの状態にあるので、揮発性メモリ３２７に記憶されたディスク情報及びパラメータ値は消去される。一方、不揮発性メモリ３２８に記憶されたディスク情報及びパラメータ値はそのままの状態で保持され続ける。
【００５９】
その後、光ディスク装置３００を操作して記録／再生処理を再開する場合、光ディスク装置３００のシステム電源がオンとなり、パワーオフモードが解除される（Ｓ４１２：ＹＥＳ）。
【００６０】
＝＝＝パワーオフモード解除後の動作＝＝＝
図３を参照して、パワーオフモード解除後の動作について説明する。  
ＣＰＵ３２９は、パワーオフモードを解除するか否かを決定し、パワーオフモードが解除される場合（Ｓ４１２：ＹＥＳ）、光ディスク装置３００のシステム電源が投入される（Ｓ４００）。そして、ＣＰＵ３２９は、トレー３１０の開閉状況と、トレー３１０における光ディスク１０の有無を判定する。この場合、ＣＰＵ３２９は、パワーオフモードの移行から解除までの間、トレー３１０の開閉（光ディスク１０の出し入れ）が無く、且つ、トレー３１０に光ディスク１０が有る旨を判定する（Ｓ４０１：ＹＥＳ）。
【００６１】
つぎに、ＣＰＵ３２９は、不揮発性メモリ３２８に記憶されたパラメータ値、ディスク情報を読み出す（Ｓ４１３）。その後、読み出されたパラメータ値を用いて光ディスク１０の所定領域からディスク情報を読み出すディスク情報取得処理（Ｓ４１４）が行われる。そして、ＣＰＵ３２９は、不揮発性メモリ３２８からの読み出したディスク情報との整合性を判定する（Ｓ４１５）。即ち、トレー３１０に有る光ディスク１０がパワーオフモードに移行する前と同一の光ディスク１０であるか否かを判別する。
【００６２】
不揮発性メモリ３２８にパラメータ値のみを格納する場合、ＣＰＵ３２９は、不揮発性メモリ３２８からパラメータ値を読み出してレジスタに設定でき、光ディスク１０に対して信号の記録又は再生の処理を速やかに開始できる。さらに、パワーオフモード移行前のディスク判別処理（Ｓ４０２）から不揮発性メモリ３２８にパラメータ値とディスク情報を書き込む（Ｓ４０８）までの処理を省略できる。これにより、同一ディスクが装填され続ける状況下での光ディスク装置３００の再起動時間の短縮化が図れる。
【００６３】
＜＜その他の実施形態＞＞
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、本発明にはその等価物も含まれる。
【００６４】
例えば、前述した実施形態では、同一ディスクが装填され続ける状況下で光ディスク装置３００の再起動が行われる場合として、パワーオフモード解除後の場合を例に挙げて説明した。この場合以外にも、例えば、光ディスク装置３００が、各種ソフトウェア割り込み等に起因したシステムリセットによりシステム電源を一旦オフした後に再起動する場合であっても、本発明を適用できる。また、突発的な停電等でシステム電源がオフした後に光ディスク装置３００の再起動をかける場合であっても、本発明を適用できる。
【００６５】
また、前述した実施形態では、光ディスクの装填方式として、トレーローディング方式の場合を例に挙げて説明した。この場合以外にも、光ディスク装置３００は、ディスク挿入口に光ディスク１０を押し込むと装置内部に光ディスク１０が自動的に引き込まれるスロットローディング方式を採用してもよい。あるいは、複数枚の光ディスク１０を収納したケースを光ディスク駆動装置１００と電気的／機械的に接続して、光ディスク１０を切り替えて使用するディスクチェンジャー方式を採用してもよい。
【００６６】
さらに、前述した実施形態では、パワーオフモード解除後に、ＣＰＵ３２９は、不揮発性メモリ３２８からパラメータ値を読み出して（Ｓ４１３）、各種サーボの調整データを格納するレジスタに設定した場合を例に挙げて説明した。この場合以外にも、ＣＰＵ３２９は、不揮発性メモリ３２８からパラメータ値やディスク情報を読み出した後、揮発性メモリ３２７に転送して格納してもよい。尚、この場合、ＣＰＵ３２９７は、揮発性メモリ３２７に格納されたパラメータ値やディスク情報に基づいて、エラーアンプ３２５３のオフセットやゲインの調整、光ディスクの再生処理を行う。
【図面の簡単な説明】
【００６７】
【図１】本発明に係る情報処理装置の筐体内部の構成を示した図である。
【図２】本発明に係る光ディスク装置の構成を示した図である。
【図３】本発明に係る光ディスク装置の動作を示すフローチャートである。
【図４】従来の光ディスク装置の動作を示すフローチャートである。
【符号の説明】
【００６８】
１０    光ディスク
１００  情報処理装置
１０５  メインボード
１１０  チップセット
１１５  ＣＰＵ
２００  電源回路基板
２１０  電源スイッチ
２２０  電源端子
２３０、２３１、２３２  電源ケーブル
３００  光ディスク装置
３１０  トレー
３１１  載置台
３１２  ローディング用モータ
３１２１  開閉センサ
３２０  システム基板
３２３  スピンドルモータ
３２３１  回転数センサ
３２４  光ピックアップ
３２５  信号処理回路
３２５１  エンコーダ／デコーダ
３２５２  エラー信号生成部
３２５３  エラーアンプ
３２５４  サーボ制御部
３２６  ドライバ
３２７  揮発性メモリ
３２７１、３２７２  記憶領域
３２８  不揮発性メモリ
３２８１、３２８２  記憶領域
３２９  ＣＰＵ
３３０  排出ボタン
４００  オーディオ信号処理回路基板
４０５  音声出力端子
４１０  スピーカー
５００  ビデオ信号処理回路基板
５０５  ビデオ出力端子
５１０  表示装置
【図１】
2008176833.tif 000003
【図２】
2008176833.tif 000004
【図３】
2008176833.tif 000005
【図４】
2008176833.tif 000006